(57)【要約】      （修正有）【課題】内壁の上部から下部にいたる全面で粉体を分級可能なサイクロン式分級器及び当該分級器を備えた集塵装置を提供する。【解決手段】サイクロン式分級器は、上部に天板１３ａを有する円筒形状であると共に、側壁上部に接線方向に取りつけられた入口管１２を備えた胴部１３と、胴部の内部に装備され上端が天板によって閉止され、下端が開口された円錐台状の第一コーン部１４と、第一コーン部と連続して設けられ下端が開口された逆円錐台状の第二コーン部１５とにより構成される。また、このサイクロン式分級器を備えた集塵装置は、胴部の下部に上部が開放されたダストボックス１６を設け、第二コーン部の側壁に複数の孔部１５ｂを設けると共に、第二コーン部の下端開口に胴部外に連通した排出管１７を設けて構成される。【選択図】図１
0003192410.tif 000002
【実用新案登録請求の範囲】
【請求項１】
上部に天板（１３ａ）を有する円筒形状であると共に、側壁上部に接線方向に取りつけられた入口管（１２）を備えた胴部（１３）と、
胴部（１３）の内部に装備され上端が天板（１３ａ）によって閉止され、下端が開口された円錐台状の第一コーン部（１４）と、
当該第一コーン部（１４）と連続して設けられる下端が開口される逆円錐台状の第二コーン部（１５）と、により成るサイクロン式分級器。
【請求項２】
請求項１記載のサイクロン式分級器を備えた集塵装置であって、
胴部（１３）の下部に上部が開放されたダストボックス（１６）を設けたこと、
第二コーン部（１５）の側壁（１５ａ）に複数の孔部（１５ｂ）を設けると共に、第二コーン部（１５）の下端開口に胴部（１３）外に連通した排出管（１７）を設けたこと、
を特徴とする集塵装置。
【考案の詳細な説明】
【技術分野】
【０００１】
本考案は粉体とガスの混合流からガスを分離して粉体を捕集するサイクロン式分級器及び当該分級器を備えた集塵機に関する。
【背景技術】
【０００２】
粗粉の分級を効率化するためのサイクロン式分級装置を開示した特許文献として、以下のようなものがある。
【０００３】
特許文献１記載のサイクロン式分級器は、漏斗状部下端の粗粉排出口に対向するように内側ガイドを設けるとともに粗粉排出口にカバーを設け、前記内側ガイドとカバーとの間に流路を構成する。そして、この流路に上向きのブローアップ気流を生じさせ、微粉を巻き上げる一方で、この気流で巻き上げられない粗粉を粗粉貯留槽に排出することによって、微粉と粗粉の分級を行うものである。
【０００４】
特許文献２に記載のサイクロン式分級器は、粗粉排出口に末広がり状に拡口する外側ガイドを設けるとともに、この外側ガイドの下方に円錐形の内側ガイドを設ける。さらに、両ガイドの間に中央隔壁を設け、粗粉捕集室に向かう下降流（外側）と、ブローアップエアの上昇流（内側）の流路を分離して形成する。これによって、粗粉は前記下降流によって粗粉捕集室で捕集される一方で、微粉は前記上昇流によって巻き上げられて捕集され、微粉と粗粉が分級を行うものである。
【先行技術文献】
【特許文献】
【０００５】
【特許文献１】特開２００１−１７９１３４号公報
【特許文献２】特開２００５−２８８２７３号公報
【考案の概要】
【考案が解決しようとする課題】
【０００６】
粉体の空気輸送、流動乾燥、流動冷却、噴霧乾燥等により生じる粉体とガスの混合流からガスを分離して粉体を捕集するためには、上部に蓋板を有する円筒状胴部、胴部の蓋板の中央に同心円状に挿入された内筒、胴部の側壁に接線方向に取りつけられた入口管、内筒と接続され胴部外に連通する粉体排出管により構成されているサイクロン式集塵装置が広く利用されている。
【０００７】
図３は上記従来汎用のサイクロン式集塵装置を示すものであり、入口管１から円筒状胴部２に接線方向に送入された粉体とガスの混合流は胴部２内壁に添って旋回しながら下降し、この間に粉体に遠心力が働いて粉体は壁方向に移動し、重力によりダストボックス３内に落下しガス流から分離される。一方、ガスは内筒４の下部開口４ａから排出管５を通って外部に排出されるものである。
【０００８】
ところが上記粉体とガスの混合流の旋回速度は、胴部２の上部２ａおよび中間部２ｂでは粉体を胴部２内壁に遠心力で押し付けるのに十分なものであるが、中間部２ｂより下部にいたると、急激に速度が低下する。その結果、遠心力が弱まり、粉体が内壁に押し付けられることなく浮遊し、開口４ａから排出管５を通り外部に排出されてしまうことがある。
【０００９】
そこで本考案は上記従来例の問題点を解消すべく、サイクロン式分級器内壁の上部から下部にいたる全面で粉体を分級可能なサイクロン式分級器及び当該分級器を備えた集塵装置を提供することを目的とする。
【課題を解決するための手段】
【００１０】
上記の目的を達成する本考案の構成は次の通りである。
【００１１】
（１）  請求項１に記載のサイクロン式分級器は、上部に天板を有する円筒形状であると共に、側壁上部に接線方向に取りつけられた入口管を備えた胴部と、胴部の内部に装備され上端が天板によって閉止され、下端が開口された円錐台状の第一コーン部と、当該第一コーン部と連続して設けられる下端が開口される逆円錐台状の第二コーン部とにより構成した。
【００１２】
（２）  請求項２に記載の考案は、請求項１記載のサイクロン式分級器を備えた集塵装置であって、胴部の下部に上部が開放されたダストボックスを設け、第二コーン部の側壁に複数の孔部を設けると共に、第二コーン部の下端開口に胴部外に連通した排出管を設けて構成した。
【考案の効果】
【００１３】
上記のように構成される本考案が、如何に作用して課題を解決するかを図面を参照しながら概説する。
【００１４】
図１に示されるように本考案に係るサイクロン式分級器１０を備えた集塵機１１においては、入口管１２から円筒状胴部１３に接線方向に送入された粉体とガスの混合流は、第一コーン部１４と胴部１３の内壁との間の円錐環状を呈する空間１８において、下降に従い徐々に速度を上げる。なぜなら第一コーン部１４と内壁との間の距離が徐々に小さくなるからである。
【００１５】
かように速度を上げた混合流は、次いで第二コーン部１５と内壁との逆円錐環状を呈する空間１９に至り、徐々に速度を落とすことになる。なぜなら第二コーン部１５と内壁との間の距離が徐々に大きくなるからである。
【００１６】
上記のとおり、本考案によれば混合流の旋回速度を上げたうえで、徐々に速度を落としていくことから、従来例のように一定速度から急速に速度が落ちるようなことが無く、混合流に含まれる粉体に与えられる遠心力が急減することも無い。したがって、粉体が胴部１３の内壁の上部から下部に至るまで、均質に押し付けられることになり、胴部１３内で浮遊することも無くダストボックス１６内に落下していくものである。
【００１７】
かようにして本考案によれば、サイクロン式分級器内壁の上部から下部にいたる全面で粉体を分級可能なサイクロン式分級器及び当該分級器を備えた集塵装置を提供することが可能となるのである。
【図面の簡単な説明】
【００１８】
【図１】本考案にかかる集塵機の構造・作用を示す説明図
【図２】胴部と入口管・排出管の関係を示す説明図
【図３】従来例にかかる集塵機の構造・作用を示す説明図
【考案を実施するための形態】
【００１９】
以下、好ましい考案の一実施形態につき、図面を参照しながら概説する。なお、本考案
の実施の形態は、下記の実施形態に何ら限定されることはなく、本考案の技術的範囲に属する限り種々の形態を採りうる。
【００２０】
この考案に係るサイクロン式分級器を備えた集塵機を図１に示す。サイクロン式分級器１０は、内径が一定の円筒状の胴部１３と、胴部１３の内部に装備される円錐台状の第一コーン部１４と、当該第一コーン部１４と連続して設けられる逆円錐台状の第二コーン部１５とにより成り、集塵機１１は更にサイクロン式分級器１０の下部にダストボックス１６を備えて成るものである。
【００２１】
図２に示すように胴部１３上端部には、サイズの異なる粉末が混在した混合流をこの胴部１３の接線方向に流入させる入口管１２が設けられている。また、胴部１３の下部には第二コーン部１５と連通した排出管１７が設けられている。
【００２２】
胴部１３は上部が天板１３ａにより閉止されており、当該天板１３ａには第一コーン部１４が吊架されている。第一コーン部１４は円錐台形状を呈するものであり、当該第一コーン部１４の下端は開口され、当該開口には第二コーン部１５が連設されるものである。
【００２３】
第二コーン部１５は下端が開口され、内部が空洞の逆円錐台形状を呈する部材であり、側壁１５ａには複数の孔部１５ｂ・・が設けられている。第二コーン部１５の下端開口は胴部１３外につながる排出管１７と連通しており、孔部１５ｂから内部に流入した、粗い粉塵を除去されたガスは、排出管１７を通じて外部に排出されるものである。
【００２４】
胴部１３の底板には図示されない開口部が存し、上部が開放されたダストボックス１６と連接されるものである。ダストボックス１６は箱状体であり、サイクロン式分級器１０により分級された粗い粉塵が落下収納されていくものである。
【００２５】
上記のようにに構成された集塵機１１は、以下のように作動して粉塵ガス中の粉塵を能率よく回収および捕集することができるものである。
【００２６】
すなわち、集塵機１１を作業現場などに設置した状態で図示されない吸引機を作動させると、サイクロン式分級器１０内の空気が吸引され、胴部１３内は負圧となる。そして作業部位の粉塵が吸引され、胴部１３内へ導入された粉塵を含む混合流は円錐環状空間において図１に示す矢印のように旋回流を形成する。この粉塵中には、粗い粉塵および微細な粉塵や煙状の粉塵、さらには、粉塵ガスの種類によっては油分なども含まれる。粗い粉塵にはサイクロン効果によって遠心力が作用し、胴部１３の内周面に偏せられた後、重力によって沈降する。なお、円錐環状空間を流れる旋回流の一部は、側壁１５ａに設けられた孔部１３ｂを透過して排出管１７へ吸引される。
【符号の説明】
【００２７】
１０・・サイクロン式分級器      １１・・集塵機      １２・・入口管      
１３・・胴部      １３ａ・・天板      １４・・第一コーン部      
１５・・第二コーン部      １５ａ・・側壁      １５ｂ・・孔部
１６・・ダストボックス      １７・・排出管
【図１】
0003192410.tif 000003
【図２】
0003192410.tif 000004
【図３】
0003192410.tif 000005